(57)【要約】【課題】  表示品位が良く且つ変化に富んだ表示動作を行うことができる表示装置を提供する。【解決手段】  表示装置の前部に回転表示部２０が設けられ、回転表示部２０に可変表示部２１ａ，２１ｂ，２１ｃが設けられている。可変表示部２１ａ，２１ｂ，２１ｃに移動スクリーン３０が設けられ、移動スクリーン３０に固定画像３１が設けられている。３つの移動スクリーン３０が回転して停止したときに、全てが「７」などに揃えられると入賞状態となる。このとき、全ての移動スクリーン３０が連続移動し、連続移動している移動スクリーン３０に光変換素子で変換された画像光が投影されて投影画像３２が表示される。【選択図】図６
2015176011.tif 000002
【特許請求の範囲】
【請求項１】
筐体の前方に表示部が設けられた表示装置において、
前記表示部に透光性スクリーンが設けられ、筐体の内部に、光源と、前記光源から発せられた光を画像光に変換する光変換素子とが設けられており、
前記画像光が前記透光性スクリーンに与えられて投影画像が表示され、この投影画像が筐体の前方から目視可能とされていることを特徴とする表示装置。
【請求項２】
前記透光性スクリーンは、移動スクリーンであり、前記画像光が前記移動スクリーンに与えられる請求項１記載の表示装置。
【請求項３】
前記移動スクリーンには固定画像が設けられて、移動スクリーンが所定量移動して停止するたびに、前記表示部に異なる固定画像が表示され、前記移動スクリーンが連続移動しているときに、前記画像光が前記移動スクリーンに与えられる請求項２記載の表示装置。
【請求項４】
前記移動スクリーンは、回転動作する請求項２または３記載の表示装置。
【請求項５】
前記光変換素子は、位相型回折格子である請求項１ないし４のいずれかに記載の表示装置。
【請求項６】
前記透光性スクリーンに異なる画像が切替えられて表示される請求項１ないし５のいずれかに記載の表示装置。
【発明の詳細な説明】
【技術分野】
【０００１】
本発明は、表示部に画像光が投影される表示装置に関する。
【背景技術】
【０００２】
スロットマシーンやパチンコ機などの遊戯装置の表示部には、固定画像が塗装などで描かれたパネルが設置されているのが一般的であった。
【０００３】
また、以下の特許文献１に記載されたパチンコ機では、パチンコ機に玉を供給するための上皿の内部にホログラム表示体が設けられ、上皿の表面に画像を発光させて表示するものとなっている。
【先行技術文献】
【特許文献】
【０００４】
【特許文献１】特開２００２−１６５９３９号公報
【発明の概要】
【発明が解決しようとする課題】
【０００５】
従来のように、パネルにより固定画像を表示するものでは、画像の品位が良好ではなく、表示画像を任意に切替えることも難しかった。
【０００６】
また、特許文献１に記載されたパチンコ機では、上皿部分に表示を行うだけであり、遊戯表示のための画像の品位を向上させ、また遊戯表示のための画像を変化させて表示することはできない。
【０００７】
本発明は、上記従来の課題を解決するものであり、表示品位を向上でき、また変化に富んだ表示を行うことを可能にした表示装置を提供することを目的としている。
【課題を解決するための手段】
【０００８】
本発明は、筐体の前方に表示部が設けられた表示装置において、
前記表示部に透光性スクリーンが設けられ、筐体の内部に、光源と、前記光源から発せられた光を画像光に変換する光変換素子とが設けられており、
前記画像光が前記透光性スクリーンに与えられて投影画像が表示され、この投影画像が筐体の前方から目視可能とされていることを特徴とするものである。
【０００９】
本発明の表示装置は、表示内容を示す表示画像が光変換素子で生成されているため、表示品位が良くなり、また変化に富んだ表示を行うことも可能になる。
【００１０】
本発明は、前記透光性スクリーンは、移動スクリーンであり、前記画像光が前記移動スクリーンに与えられるものとすることができる。
【００１１】
本発明の表示装置では、前記移動スクリーンには固定画像が設けられて、移動スクリーンが所定量移動して停止するたびに、前記表示部に異なる固定画像が表示され、前記移動スクリーンが連続移動しているときに、前記画像光が前記移動スクリーンに与えられることが好ましい。
【００１２】
上記の表示装置では、移動スクリーンによる表示部の表示内容に変化を与えることが可能である。
例えば、前記移動スクリーンは、回転動作するものである。
【００１３】
本発明の表示装置では、前記光変換素子は、位相型回折格子である。
また、本発明は、前記透光性スクリーンに異なる画像が切替えられて表示されることが可能である。
【発明の効果】
【００１４】
本発明の表示装置は、表示部での表示画像に変化を持たすことができ、また表示の品位を向上させることが可能である。
【図面の簡単な説明】
【００１５】
【図１】本発明の実施の形態の表示装置を示す正面図、
【図２】図１に示す表示装置の側面図、
【図３】画像投影装置の表示原理を示す説明図、
【図４】移動スクリーンに投影画像を表示する画像投影装置を示す側面図、
【図５】移動スクリーンに投影画像を表示する画像投影装置を示す斜視図、
【図６】（Ａ）（Ｂ）（Ｃ）は、移動スクリーンによる表示の変化を示す説明図、
【発明を実施するための形態】
【００１６】
図１と図２に示す表示装置１は、いわゆるスロットマシーンまたはパチンコ機などとして使用される。
【００１７】
表示装置１は筐体２を有している。筐体２の前部２ａでは、上部に表示領域３が設けられ、その下に操作領域４が設けられている。操作領域４には操作釦や操作レバーが設けられている。筐体２の内部には、遊戯内容をつかさどる制御回路が設けられており、前記操作釦や操作レバーによる操作によって制御回路が動作させられる。
【００１８】
表示領域３には、上部表示部５と下部表示部６とが設けられ、その中間に回転表示部２０が設けられている。
【００１９】
図３には、上部表示部５と下部表示部６に画像を表示する画像投影装置１０の構造が示されている。上部表示部５には透光性スクリーン１１ａが設置され、下部表示部６には透光性スクリーン１１ｂが設置されている。透光性スクリーン１１ａ，１１ｂは、合成樹脂板であり、内部に白濁を形成するフィラーが含まれ、または表面に細かな凹凸が形成されたものである。または、透光性スクリーン１１ａ，１１ｂは、ガラス板であり、表面に細かな凹凸が形成され、または光拡散フィルムが貼られているものである。透光性スクリーン１１ａ，１１ｂは、人の目に悪影響を及ぼしやすい周波数帯の光を吸収する成分が含まれているものが好ましい。
【００２０】
図３に示すように、画像投影装置１０に光源１２が設けられている。光源１２は、レーザ光源であり、コヒーレントな可視光を発するものである。光源１２の光はコリメートレンズ１３で平行光束に変換され、平行光束が光変換素子１４に与えられる。
【００２１】
光変換素子１４は、位相型回折格子であり、２次元図形格子を有している。平行光束が位相型回折格子を通過するときの光の回折と干渉により、画像光１５が生成される。画像光１５は、位相型回折格子から発散角度を有して透光性スクリーン１１ａ，１１ｂに与えられ、透光性スクリーン１１ａ，１１ｂに投影画像が表示される。この投影画像は、イラスト画像や写真画像などであり、上部表示部５と下部表示部６とで前方から投影画像を目視することが可能になる。上部表示部５で表示される投影画像と下部表示部６に表示される投影画像は別々のものであってもよいし、２つの表示部５，６に連続する投影画像を表示したり、関連する投影画像を表示してもよい。
【００２２】
位相型回折格子は、２次元図形格子により固定された画像を生成するものであるが、図３に示すように、異なる投影画像を表示する位相型回折格子である光変換素子１４ａ，１４ｂ、・・・を光変換素子１４に代わるように切替えて移動させることで、上部表示部５と下部表示部６に表示される投影画像を異なる内容のものに切替えることができる。
【００２３】
また、光変換素子としてホログラム素子を使用することができる。ホログラム素子では、透光性スクリーン１１ａ，１１ｂに焦点深度の深い画像を表示することができる。またホログラム素子としてＬＣＯＳ（liquid crystal silicon）などの可変式の素子を使用することにより、透光性スクリーン１１ａ，１１ｂに表示される投影画像を異なる内容のものに切替えたり、または、動画に近い投影画像を表示させることも可能である。
【００２４】
図１に示すように、回転表示部２０には、３箇所の可変表示部２１ａ，２１ｂ，２１ｃが並んで形成されている。可変表示部２１ａ，２１ｂ，２１ｃのそれぞれに移動スクリーン３０が設けられている。図４には移動スクリーン３０と、移動スクリーン３０に画像を投影する画像投影装置１０Ａが示されている。移動スクリーン３０と画像投影装置１０Ａは、３箇所の可変表示部２１ａ，２１ｂ，２１ｃに個別に備えられている。
【００２５】
図４と図５に示すように、移動スクリーン３０は回転スクリーンであり、円筒状に形成されている。移動スクリーン３０は、図３に示す透光性スクリーン１１ａ，１１ｂと同じ透光性材料で形成されている。移動スクリーン３０の端部にはリブ３３が形成され、リブ３３の中心部が回転軸２３に固定されている。回転軸２３はモータ２４によって回転駆動される。
【００２６】
図５に示すように、移動スクリーン３０には固定画像３１が設けられている。固定画像３１は、塗装や印刷で形成されているものであり、回転方向に一定のピッチで設けられ、回転方向に異なる表示内容の固定画像３１が現れるようになっている。図１と図５に示す例では、固定画像３１が数字であるが、これは記号や図柄であってもよい。また、色彩は統一されていてもよいし、画像ごとに異なっていてもよい。
【００２７】
図４に示すように、画像投影装置１０Ａは筒形状の移動スクリーン３０の内部に配置されている。画像投影装置１０Ａは、図３に示したのと同じ光源１２とコリメートレンズ１３ならびに光変換素子１４を有している。光変換素子１４から発せられる発散光である画像光１５が移動スクリーン３０に与えられると、図６（Ｃ）に一例を示すような投影画像３２が表示される。
【００２８】
図４に示す画像投影装置１０Ａにおいても、図３に示すように、複数の光変換素子１４ａ，１４ｂを切替えて使用することにより投影画像３２の表示内容を変化させることができる。または、ホログラム素子を使用することにより、同じ画像投影装置１０Ａで投影される投影画像３２の表示内容を随時変化させることも可能である。
【００２９】
筐体２の内部に設けられた制御回路には、図５に示す表示用の制御部２６が含まれており、この制御部２６によって、モータ２４と光源１２などが制御される。制御部２６は、前記制御回路で設定されるゲームソフトウエアなどに連動している。
【００３０】
図６には、回転表示部２０における表示制御の一例が示されている。
表示装置１がスロットマシーンである場合には、操作領域４に設けられている操作釦や操作レバーが操作されると、図５に示す制御部２６によって、３つの移動スクリーン３０ごとに設けられているモータ２４が制御され、３つの移動スクリーン３０が回転してランダムな回転位置で停止する。表示装置１がパチンコ機であるときは、遊戯玉がいずれかの当たり穴に入ったときに、モータ２４が制御され、３つの移動スクリーン３０が回転してランダムな回転位置で停止する。
【００３１】
図６（Ａ）では、３個の移動スクリーン３０が止まったときに、可変表示部２１ａに固定画像３１の数字「３」が現れ、可変表示部２１ｂに固定画像３１の数字「６」が現れ、可変表示部２１ｃに固定画像３１の数字「７」が現れている。このように可変表示部２１ａ，２１ｂ，２１ｃの表示が揃わないときは、一般に入賞として処理されない。
【００３２】
図６（Ｂ）に示すように、可変表示部２１ａ，２１ｂ，２１ｃで停止する固定画像３１が、例えば数字「７」で揃得られると、制御回路では入賞とみなされる。
【００３３】
入賞とみなされると、図５に示す制御部２６の制御動作によって、可変表示部２１ａ，２１ｂ，２１ｃに設けられた全てのモータ２４が連続回転させられ、図６（Ｃ）に示すように、全ての可変表示部２１ａ，２１ｂ，２１ｃにおいて、移動スクリーン３０が連続移動する。移動スクリーン３０が連続して移動すると、操作者は固定画像３１を認識できなくなる。このとき、画像投影装置１０Ａの光源１２が点灯され、連続移動している移動スクリーン３０に投影画像３２が表示される。これにより、操作者は入賞状態に至ったことを認識できるようになる。
【００３４】
なお、投影画像３２は、図６（Ｃ）に示すものとは異なる図柄であってもよいし、文字や記号であってもよい。また、可変表示部２１ａ，２１ｂ，２１ｃで異なる内容の投影画像３２が表示されてもよい。
【００３５】
またゲームの進行状況において、可変表示部２１ａ，２１ｂ，２１ｃのいずれか１つまたは２の移動スクリーン３０が連続移動し、残りの移動スクリーン３０が停止した状態で、連続している移動スクリーン３０に対してのみ投影画像３２が投影されてもよい。
また、投影画像３２の内容が順次入れ替わってもよい。
【００３６】
本発明の表示装置１は、光変換素子１４を使用して投影画像を生成することで、表示品位の良い表示を行うことができる。また図６に示すように、変化に富んだ表示を行うこともできる。
【符号の説明】
【００３７】
１  表示装置
２  筐体
３  表示領域
４  操作領域
５  上部表示部
６  下部表示部
１０，１０A  画像投影装置
１１ａ，１１ｂ  透光性スクリーン
１２  光源
１３  コリメートレンズ
１４  光変換素子
１５  画像光
２０  回転表示部
２１ａ，２１ｂ，２１ｃ  可変表示部
２３  回転軸
２４  モータ
２６  制御部
３０  移動スクリーン
３１  固定画像
３２  投影画像
【図１】
2015176011.tif 000003
【図２】
2015176011.tif 000004
【図３】
2015176011.tif 000005
【図４】
2015176011.tif 000006
【図５】
2015176011.tif 000007
【図６】
2015176011.tif 000008